(57)【特許請求の範囲】
【請求項１】
振動部材、固定部材、及び弾性接続具を備える振動モーターであって、
前記振動部材は、質量ブロックと、前記質量ブロック内に収容された磁性鋼とを含み、
前記固定部材は、収容空間を有する筐体と、回路板と、前記筐体内に固定され、且つ前記回路板に電気的に接続されたコイルとを含み、前記コイルは前記磁性鋼と対向し、間隔を隔てて設置され、前記筐体は、上カバーと、前記上カバーと対向し、設置された下カバーと、前記上カバー及び前記下カバーとともに取り囲んで、前記収容空間を形成する外枠とを含み、
前記弾性接続具は、一端が前記質量ブロックに接続され、他端が前記筐体に接続され、これにより、前記振動部材が前記筐体内に弾性的に支持され、
前記外枠に、該振動モーターの落下時に前記弾性接続具が前記筐体に衝突することを防止するための落下防止保護構造が設けられ、前記外枠は、２つの対向設置された長側壁と、２つの前記長側壁に接続され、且つ対向設置された短側壁とを含み、前記落下防止保護構造は、前記短側壁に設けられ、前記弾性接続具は、前記質量ブロックに接続された第１の固定部と、前記長側壁に接続された第２の固定部と、前記第１の固定部及び前記第２の固定部を接続する中間接続部とを含み、前記落下防止保護構造は、前記短側壁から前記収容空間へ折曲延在している折曲シートであり、前記中間接続部は、前記折曲シートに当接していることを特徴とする振動モーター。
【請求項２】
前記外枠に、前記コイルを固定するためのコイル固定部がさらに設けられ、前記コイル固定部は、前記長側壁に設けられていることを特徴とする請求項１に記載の振動モーター。
【請求項３】
前記コイル固定部は、それぞれ２つの前記長側壁から前記収容空間へ折曲延在している積載壁を含み、
前記回路板は、それぞれ２つの前記積載壁に設けられた第１の回路板及び第２の回路板を含み、
前記コイルは、一端に正極リード線が設けられ、他端に負極リード線が設けられ、前記正極リード線は前記第１の回路板に電気的に接続され、前記負極リード線は前記第２の回路板に電気的に接続されていることを特徴とする請求項２に記載の振動モーター。
【請求項４】
前記積載壁の両端に、前記上カバーに向かう方向において、それぞれ折曲部が折曲延在しており、前記第１の回路板及び前記第２の回路板の両端は、それぞれ折曲部に当接していることを特徴とする請求項３に記載の振動モーター。
【請求項５】
前記第１の回路板に、前記収容空間外まで延在している、外部電源に電気的に接続するための延在部が設けられ、前記第１の回路板が所在する積載壁に、前記延在部を待避するための待避部がさらに設けられていることを特徴とする請求項３に記載の振動モーター。
【請求項６】
前記振動部材は、前記質量ブロックにおける、前記上カバーに向かう表面を被覆する第１のポールコアと、前記質量ブロックにおける、前記下カバーに向かう表面を被覆する第２のポールコアとをさらに含むことを特徴とする請求項３に記載の振動モーター。
【請求項７】
前記第２のポールコアにおける、前記積載壁に対応する位置に、前記積載壁を収容するための収容部がさらに設けられ、前記積載壁は前記収容部内に位置することを特徴とする請求項６に記載の振動モーター。
【請求項８】
前記負極リード線は前記収容空間へ延在し、前記第２のポールコアにおける、前記コイルに向かう、前記負極リード線の位置に対応する表面に、前記負極リード線を待避するための凹み部がさらに設けられていることを特徴とする請求項７に記載の振動モーター。
【発明の詳細な説明】
【技術分野】
【０００１】
本発明は、消費者用電子製品に用いられる振動モーターに関する。
【背景技術】
【０００２】
電子技術の発展に伴い、携帯型の消費者用電子製品はますます人々に好まれるようになっており、例えば、携帯電話、携帯ゲーム機、ナビゲーション装置又は携帯型マルチメディア娯楽デバイスなどにおいては、通常、振動モーターがシステムのフィードバックとして用いられており、例えば、携帯電話の着信通知、メッセージの通知、ナビゲーション情報の通知、ゲーム機の振動レスポンスなどが挙げられる。このような幅広い応用では、性能がよく、使用寿命が長く、寸法が小さい振動モーターが求められている。
【０００３】
関連技術における振動モーターは、収容空間を有する筐体と、収容空間内に設けられた振動部材と、固定部材と、収容空間内に振動部材を弾性的にサスペンションする弾性接続具とを備える。弾性接続具は、一端が振動部材に接続され、他端が筐体に接続されている。振動モーターが落下した過程において、弾性接続具は筐体と衝突しやすいため、騒音が発生し、ひいては、弾性接続具が機能を失うことを招くこともある。
【０００４】
そのため、新型の振動モーターを提供することが必要である。
【発明の概要】
【発明が解決しようとする課題】
【０００５】
本発明は、振動モーターの落下時に弾性接続具が筐体に衝突することを防止することが可能な振動モーターを提供することを目的とする。
【課題を解決するための手段】
【０００６】
本発明の技術案は、以下の通りである。振動部材、固定部材、及び弾性接続具を備える振動モーターであって、
前記振動部材は、質量ブロックと、前記質量ブロック内に収容された磁性鋼とを含み、
前記固定部材は、収容空間を有する筐体と、回路板と、前記筐体内に固定され、且つ前記回路板に電気的に接続されたコイルとを含み、前記コイルは前記磁性鋼と対向し、間隔を隔てて設置され、前記筐体は、上カバーと、前記上カバーと対向し、設置された下カバーと、前記上カバー及び前記下カバーととともに取り囲んで、前記収容空間を形成する外枠とを含み、
前記弾性接続具は、一端が前記質量ブロックに接続され、他端が前記筐体に接続され、これにより、前記振動部材が前記筐体内に弾性的に支持され、
前記外枠に、該振動モーターの落下時に前記弾性接続具が前記筐体に衝突することを防止するための落下防止保護構造が設けられている。
【０００７】
好ましくは、前記外枠は、２つの対向設置された長側壁と、２つの前記長側壁に接続され、且つ対向設置された短側壁とを含み、前記落下防止保護構造は、前記短側壁に設けられている。
【０００８】
好ましくは、前記弾性接続具は、前記質量ブロックに接続された第１の固定部と、前記長側壁に接続された第２の固定部と、前記第１の固定部及び前記第２の固定部を接続する中間接続部とを含み、前記落下防止保護構造は、前記短側壁から前記収容空間へ折曲延在している折曲シートであり、前記中間接続部は、前記折曲シートに当接している。
【０００９】
好ましくは、前記外枠に、前記コイルを固定するためのコイル固定部がさらに設けられ、前記コイル固定部は、前記長側壁に設けられている。
【００１０】
好ましくは、前記コイル固定部は、それぞれ２つの前記長側壁から前記収容空間へ折曲延在している積載壁を含み、
前記回路板は、それぞれ２つの前記積載壁に設けられた第１の回路板及び第２の回路板を含み、
前記コイルは、一端に正極リード線が設けられ、他端に負極リード線が設けられ、前記正極リード線は前記第１の回路板に電気的に接続され、前記負極リード線は前記第２の回路板に電気的に接続されている。
【００１１】
好ましくは、前記積載壁の両端に、前記上カバーに向かう方向において、それぞれ折曲部が折曲延在しており、前記第１の回路板及び前記第２の回路板の両端は、それぞれ折曲部に当接している。
【００１２】
好ましくは、前記第１の回路板に、前記収容空間外まで延在している、外部電源に電気的に接続するための延在部が設けられ、前記第１の回路板が所在する積載壁に、前記延在部を待避するための待避部がさらに設けられている。
【００１３】
好ましくは、前記振動部材は、前記質量ブロックにおける、前記上カバーに向かう表面を被覆する第１のポールコアと、前記質量ブロックにおける、前記下カバーに向かう表面を被覆する第２のポールコアとをさらに含む。
【００１４】
好ましくは、前記第２のポールコアにおける、前記積載壁に対応する位置に、前記積載壁を収容するための収容部がさらに設けられ、前記積載壁は、前記収容部内に位置する。
【００１５】
好ましくは、前記負極リード線は前記収容空間へ延在し、前記第２のポールコアにおける、前記コイルに向かう、前記負極リード線の位置に対応する表面に、前記負極リード線を待避するための凹み部がさらに設けられている。
【発明の効果】
【００１６】
本発明の有益な効果は、以下の通りである。外枠に落下防止保護構造を設けることにより、効果的に振動モーターの落下時に弾性接続具が筐体に衝突し、騒音を発生することを防止することができ、それとともに、弾性接続具を保護し、それが機能を失うことを防止することができる。
【図面の簡単な説明】
【００１７】
【図１】本発明に係る振動モーターの構成を示す分解図である。
【図２】本発明に係る振動モーターにおける外枠とコイルとの組立図である。
【図３】本発明に係る振動モーターにおける外枠の構成を示す模式図である。
【図４】本発明に係る振動モーターにおける第２のポールコアの構成を示す模式図である。
【発明を実施するための形態】
【００１８】
以下、図面および実施形態を参照しながら、本発明について、さらに説明する。
【００１９】
図１及び図２に示すように、振動モーター１００は、振動部材、固定部材及び弾性接続具１０７を備える。
【００２０】
振動部材は、質量ブロック１０４と、質量ブロック１０４内に収容された磁性鋼１０５と、それぞれ質量ブロック１０４の上表面と下表面を被覆する第１のポールコア１１０及び第２のポールコア１１１とを含む。弾性接続具１０７は、質量ブロック１０４に接続された第１の固定部１０７ａと、筐体に接続された第２の固定部１０７ｂと、第１の固定部１０７ａ及び第２の固定部１０７ｂを接続する中間接続部１０７ｃとを含む。２つの弾性接続具１０７は振動部材を弾性的に筐体内にサスペンションしている。
【００２１】
固定部材は、収容空間を有する筐体と、回路板と、筐体内に固定され、且つ回路板に電気的に接続されたコイル１０６とを含み、コイル１０６は磁性鋼１０５と対向し、間隔を隔てて設置されている。筐体は、上カバー１０１と、上カバー１０１と対向し、設置された下カバー１０２と、上カバー１０１及び下カバー１０２とともに取り囲んで、収容空間を形成する外枠１０３とを含む。外枠１０３は、２つの対向設置された長側壁１０３ａと、２つの対向設置された短側壁１０３ｂとを含む。コイル１０６は、２つがあり、いずれも正極リード線１０６ａ及び負極リード線１０６ｂを有する。
【００２２】
図３に示すように、２つの長側壁１０３ａにいずれもコイル１０６を固定するためのコイル固定部が設けられ、且つ２つの短側壁１０３ｂにいずれも当該振動モーター１００の落下時に前記弾性接続具１０７が筐体に衝突することを防止するための落下防止保護構造が設けられている。コイル固定部は、長側壁１０３ａから収容空間の方向へ折曲延在している積載壁１０３１と、それぞれ積載壁１０３１の両端から上カバー１０１へ折曲延在している折曲部１０３２とを有する。落下防止保護構造は、短側壁１０３ｂから収容空間へ折曲延在している折曲シート１０３ｃであり、弾性接続具１０７の中間接続部１０７ｃは折曲シート１０３ｃに当接している。折曲シート１０３ｃが弾性接続具１０７の中間接続部１０７ｃを積載することができ、これにより、弾性接続具１０７が筐体に衝突し、騒音を発生することを回避することができ、さらに弾性接続具１０７が衝突によって、機能を失うことも防止することができる。
【００２３】
回路板は、それぞれ２つの積載壁１０３１に設けられた第１の回路板１０８と第２の回路板１０９とを含む。さらに、第１の回路板１０８が所在する積載壁１０３１には、延在部１０８Ａを待避するための待避部１０３３が設けられている。
【００２４】
第１の回路板１０８は、収容空間外までに延在している、外部電源に接続するための延在部１０８Ａを有する。第１の回路板１０８の両端、及び第２の回路板１０９の両端は、いずれも積載壁１０３１の両端の折曲部１０３２に当接しており、これにより、接続をより強固にする。コイル１０６は２つの積載壁１０３１の間に設置され、且つ正極リード線１０６ａは第１の回路板１０８に電気的に接続され、負極リード線１０６ｂは第２の回路板１０９に電気的に接続されている。負極リード線１０６ｂは収容空間の方向に向かって延在している。図４に示すように、第２のポールコア１１１における、積載壁１０３１に対応する位置に、積載壁１０３１を収容するための収容部１１１ｂが設けられ、当該収容部１１１ｂの大きさと形状は、積載壁１０３１にマッチングしており、積載壁１０３１が収容部１１１ｂ内に位置する。なお、第２のポールコア１１１における、コイル１０６に向かう表面の、負極リード線１０６ｂに対応する位置に、負極リード線１０６ｂを待避するための凹み部１１１ａが設けられている。
【００２５】
本発明に係る振動モーターは、外枠１０３に設けられたコイル固定部により、コイルを支持し、これにより、コイルを上下カバーから離脱させることができ、上下カバーを装着するとき、コイルが設けられていない上下カバーは、ポールコアに干渉されることがないため、装着はより容易になる。
【００２６】
上述したのは本発明の実施形態に過ぎない。ここで明確にすべきなのは、当業者にとっては、本発明の創造的構想を逸脱しない前提で、改善を行うことができ、これらは全て本発明の保護範囲に含まれる。
【図１】
0006328199.tif 000002
【図２】
0006328199.tif 000003
【図３】
0006328199.tif 000004
【図４】
0006328199.tif 000005